(57)【要約】  本開示における電子機器は、バッテリーと、それが装着されるバッテリー装着部が形成された筐体とを有する。バッテリー装着部は、バッテリーが装着された状態において装着面及び一対のバッテリー側側面それぞれに対向する筐体側主面及び一対の筐体側側面を有し、筐体側側面に、バッテリーのバッテリー装着部への装着を案内するガイドレールがそれぞれ形成され、各ガイドレールは、一の端部側の第１端部と、一の端部とは反対側の第２端部とを有し、第１端部側から第２端部側へと筐体側主面に対して傾斜して形成され、第１端部と筐体側主面との間の距離が、第２端部と筐体側主面との間の距離よりも大きい。
2016051719.tif 000002
【特許請求の範囲】
【請求項１】
バッテリーと、前記バッテリーが装着されるバッテリー装着部が形成された筐体とを有する電子機器であって、
前記バッテリーは、バッテリー側主面と、前記バッテリー側主面に垂直な一対のバッテリー側側面とを有し、
前記バッテリー装着部は、前記筐体の主面の一の端部側を切り欠いて形成されるとともに、前記バッテリーが装着された状態において前記バッテリー側主面及び前記一対のバッテリー側側面それぞれに対向する筐体側主面及び一対の筐体側側面を有し、
前記筐体側側面に、前記バッテリーの前記バッテリー装着部への装着を案内するガイドレールが形成され、
前記バッテリー側側面に、前記ガイドレールに係合するガイド溝が形成され、
前記ガイドレールは、前記一の端部側のガイドレールの第１端部と、前記一の端部とは反対側のガイドレールの第２端部とを有し、前記第１端部側から前記第２端部側へと前記筐体側主面に対して傾斜して形成され、
前記ガイドレールの第１端部と前記筐体側主面との間の距離が、前記ガイドレールの第２端部と前記筐体側主面との間の距離よりも大きい、
電子機器。
【請求項２】
前記ガイド溝は、前記一の端部側のガイド溝の第１端部と、前記一の端部とは反対側のガイド溝の第２端部とを有し、前記ガイド溝の第１端部から前記ガイド溝の第２端部へと前記バッテリー側主面に対して傾斜して形成され、
前記ガイド溝の第１端部と前記バッテリー側主面との間の距離が、前記ガイド溝の第２端部と前記バッテリー側主面との間の距離よりも大きく、
前記ガイドレールの傾斜角と前記ガイド溝の傾斜角とが同一である、
請求項１記載の電子機器。
【請求項３】
前記ガイド溝は、前記第２端部側の幅よりも前記第１端部側の幅の方が大きくなるように、形成されている、
請求項２記載の電子機器。
【請求項４】
バッテリーと、前記バッテリーが装着されるバッテリー装着部が形成された筐体とを有する電子機器であって、
前記バッテリーは、バッテリー側主面と、前記バッテリー側主面に垂直な一対のバッテリー側側面とを有し、
前記バッテリー装着部は、前記筐体の主面の一の端部側を切り欠いて形成されるとともに、前記バッテリーが装着された状態において前記バッテリー側主面及び前記一対のバッテリー側側面それぞれに対向する筐体側主面及び一対の筐体側側面を有し、
前記筐体側側面に、前記バッテリーの前記バッテリー装着部への装着を案内するガイド溝が形成され、
前記バッテリー側側面に、前記ガイド溝に係合するガイドレールが形成され、
前記ガイド溝は、前記一の端部側のガイド溝の第１端部と、前記一の端部とは反対側のガイド溝の第２端部とを有し、前記ガイド溝の第１端部から前記ガイド溝の第２端部へと前記筐体側主面に対して傾斜して形成され、
前記ガイド溝の第１端部と前記筐体側主面との間の距離が、前記ガイド溝の第２端部と前記筐体側主面との間の距離よりも大きい、
電子機器。
【請求項５】
前記ガイドレールは、前記一の端部側のガイドレールの第１端部と、前記一の端部とは反対側のガイドレールの第２端部とを有し、前記ガイドレールの第１端部から前記ガイドレールの第２端部へと前記バッテリー側主面に対して傾斜して形成され、
前記ガイドレールの第１端部と前記バッテリー側主面との間の距離が、前記ガイドレールの第２端部と前記バッテリー側主面との間の前記距離よりも大きく、
前記ガイドレールの傾斜角と前記ガイド溝の傾斜角とが同一である、
請求項４記載の電子機器。
【請求項６】
前記ガイド溝は、前記第２端部側の幅よりも前記第１端部側の幅の方が大きくなるように、形成されている、
請求項４または５記載の電子機器。
【請求項７】
電子機器のバッテリー装着部に挿入され、電子機器に電力を供給するバッテリーであって、
主面と、前記主面に垂直な一対の側面とを有し、
前記側面に、前記バッテリー装着部への装着を案内するガイド溝が形成され、
前記ガイド溝は、第１端部と、前記第１端部とは反対側の第２端部とを有し、前記第１端部から前記第２端部へと前記主面に対して傾斜して形成され、
前記第１端部と前記主面との間の距離が、前記第２端部と前記主面との間の距離よりも大きい、
バッテリー。
【請求項８】
前記ガイド溝は、前記第２端部側の幅よりも前記第１端部側の幅の方が大きくなるように、形成されている、
請求項７記載のバッテリー。
【請求項９】
電子機器のバッテリー装着部に挿入され、電子機器に電力を供給するバッテリーであって、
主面と、前記主面に垂直な一対の側面とを有し、
前記側面に、前記バッテリー装着部への装着を案内するガイドレールが形成され、
前記ガイドレールは、第１端部と、前記第１端部とは反対側の第２端部とを有し、前記第１端部から前記第２端部へと前記主面に対して傾斜して形成され、
前記第１端部と前記主面との間の距離が、前記第２端部と前記主面との間の距離よりも大きい、
バッテリー。
【発明の詳細な説明】
【技術分野】
【０００１】
本開示は、バッテリーと、当該バッテリーを装着するバッテリー装着部とを備えた電子機器に関する。
【背景技術】
【０００２】
特許文献１には、電子機器本体のバッテリー装着部にバッテリーをスライドして装着する電子機器が開示されている。
【先行技術文献】
【特許文献】
【０００３】
【特許文献１】特開２０１１−１７５４６２号公報
【発明の概要】
【０００４】
本開示における電子機器は、バッテリーと、バッテリーが装着されるバッテリー装着部が形成された筐体とを有する。バッテリーは、バッテリー側主面と、バッテリー側主面に垂直な一対のバッテリー側側面とを有する。バッテリー装着部は、筐体の主面の一の端部側を切り欠いて形成されるとともに、バッテリーが装着された状態においてバッテリー側主面及び一対のバッテリー側側面それぞれに対向する筐体側主面及び一対の筐体側側面を有する。筐体側側面に、バッテリーのバッテリー装着部への装着を案内するガイドレールが形成される。バッテリー側側面に、ガイドレールに係合するガイド溝が形成される。ガイドレールは、一の端部側のガイドレールの第１端部と、一の端部とは反対側のガイドレールの第２端部とを有し、第１端部側から第２端部側へと筐体側主面に対して傾斜して形成される。ガイドレールの第１端部と筐体側主面との間の距離が、ガイドレールの第２端部と筐体側主面との間の距離よりも大きい。
【０００５】
本開示の電子機器において、ガイドレールは、バッテリー挿入方向において、前方側（筐体の一の端部側のガイドレールの第１端部）から後方側（一の端部とは反対側のガイドレールの第２端部）にかけて、ガイドレールと筐体側主面との距離が小さくなるように、筐体側主面に対して傾斜して形成される。そのため、バッテリーをバッテリー装着部に装着する際に、バッテリー装着開始時ではバッテリーとバッテリー装着部との間の隙間が広くなる。従って、バッテリーをバッテリー装着部に装着するとき、バッテリーと電子機器の筐体とが擦れることを抑制することができる。そのため、バッテリーのバッテリー側主面（バッテリーのバッテリー装着部への装着面）に傷がつきにくくなる。
【図面の簡単な説明】
【０００６】
【図１】図１は、本開示のパーソナルコンピュータの斜視図である。
【図２】図２は、図１のパーソナルコンピュータ１の平面図（バッテリー２３を取り外したとき）である。
【図３】図３は、図２のＡ−Ａ線に沿って切断したときのバッテリー装着部２４の縦断面図である。
【図４】図４は、図１のパーソナルコンピュータ１の斜視図（バッテリー２３を取り外したとき）である。
【図５】図５は、図２のＢ−Ｂ線に沿って切断したときのバッテリー装着部２４の縦断面図である。
【図６】図６は、図１のパーソナルコンピュータ１の斜視図（バッテリー２３を取り外したとき）である。
【図７】図７は、図１のバッテリー２３の平面図である。
【図８】図８は、図７のＣ側から見たときのバッテリーの側面図である。
【図９】図９は、図７のＤ側から見たときのバッテリーの側面図である。
【図１０Ａ】図１０Ａは、図１のパーソナルコンピュータにおいて、バッテリーをバッテリー装着部に装着するときの遷移を説明するための斜視図である。
【図１０Ｂ】図１０Ｂは、図１のパーソナルコンピュータにおいて、バッテリーをバッテリー装着部に装着するときの遷移を説明するための斜視図である。
【図１０Ｃ】図１０Ｃは、図１のパーソナルコンピュータにおいて、バッテリーをバッテリー装着部に装着するときの遷移を説明するための斜視図である。
【図１１Ａ】図１１Ａは、図１のパーソナルコンピュータにおいて、バッテリーをバッテリー装着部に装着するときの遷移を説明するための側面図である。
【図１１Ｂ】図１１Ｂは、図１のパーソナルコンピュータにおいて、バッテリーをバッテリー装着部に装着するときの遷移を説明するための側面図である。
【発明を実施するための形態】
【０００７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、添付図面及び以下の説明は、当業者が本開示を十分に理解するために、提供されるのであって、これらにより請求の範囲に記載の主題を限定することは意図されていない。
【０００９】
（本開示が想定する具体的な課題）
スライド型の取り外し可能なバッテリー（電池）を備えた電子機器において、バッテリーをバッテリー装着部に装着する際に、電子機器本体側のバッテリー装着部との擦れによりバッテリーの表面に傷がつく場合があった。この問題を解決するためには、バッテリーとバッテリー装着部との間の隙間を大きくすることが考えられる。しかし、この隙間を大きくすると、電子機器の厚さがその分だけ厚くなってしまいデザイン的に問題となる。また、電子機器の重量が増加する。これに対し、バッテリー装着部を平坦にすることにより、バッテリーに傷がつきにくくすることが考えられる。しかし、バッテリー装着部を平坦にすると、バッテリー装着部に補強リブなどの補強材を形成することができなくなり、電子機器本体の強度を十分に確保することができない。
【００１０】
上述したような課題に着目して、本実施の形態では、電子機器本体（後述する第１の筐体２）を厚くすることなしに、バッテリー装着時においてバッテリーの表面の損傷を抑制可能な電子機器を提供する。さらに、バッテリー装着部に補強リブなどの補強材を形成して電子機器本体の強度を十分に確保できる電子機器を提供する。以下、図を用いて、実施の形態１を説明する。
【００１１】
（実施の形態１）
［１．構成］
［１−１．全体構成］
図１は、本開示の電子機器の一例であるパーソナルコンピュータ１の斜視図である。図１に示すように、図１のパーソナルコンピュータ１は、第１の筐体２と、第２の筐体３と、ヒンジ部４とを備える。第２の筐体３は、ヒンジ部４を介して第１の筐体２と開閉可能に接続される。なお、本実施の形態では、パーソナルコンピュータ１を操作するユーザ側を前方側とし、ユーザと反対側を後方側（ヒンジ部４側）とする。
【００１２】
第１の筐体２の表面には、入力部の一例であるキーボード２１及びポインティングデバイス２２が設けられている。第１の筐体２の底部にはバッテリー装着部２４が設けられており、バッテリー装着部２４に対して着脱可能なバッテリー２３が装着されている。
【００１３】
第２の筐体３の表面には、表示部の一例である液晶表示パネル（ＬＣＤ）３１が設けられている。
【００１４】
パーソナルコンピュータ１は、バッテリー装着部２４に装着されたバッテリー２３により電源が供給される。ここで、第１の筐体２及びバッテリー２３には、バッテリー装着部２４へのバッテリー２３の着脱を案内するためのバッテリー案内構造が設けられている。バッテリー案内構造について以下に説明する。
【００１５】
［１−２．バッテリー案内構造の構成］
［１−２−１．バッテリー装着部側のバッテリー案内構造］
図２は、図１のパーソナルコンピュータ１の底面２ａ側から見たときの、バッテリー２３を取り外した状態の平面図である。図２に示すように、バッテリー装着部２４は、第１の筐体２の厚み方向に直交する底面２ａ（一方の主面）の前方側端部（一の端部）をバッテリー２３の形状に対応させて切り欠いた凹部状に形成される。また、バッテリー装着部２４は、バッテリー２３のバッテリー装着部２４への装着面２３ｄ（バッテリー側主面）（図８参照）及び一対の両側面２３ａ、２３ｂ（バッテリー側側面）（図７参照）に対向する筐体側主面２４ｃ及び一対の筐体側側面２４ａ、２４ｂを有する。バッテリー装着部２４の筐体側側面２４ａ、２４ｂには、バッテリー２３のバッテリー装着部２４への装着を案内するガイド部であるガイドレール１０ａ、１０ｂ−１、１０ｂ−２がそれぞれ形成されている。ガイドレール１０ａ及び１０ｂ−１、１０ｂ−２は、バッテリー装着部２４の前方側の端部側から後方側の端部側へとそれぞれ延在する。
【００１６】
図３は、図２のＡ−Ａ線に沿って切断したときのバッテリー装着部２４の縦断面図である。図４は、図１のパーソナルコンピュータ１の底面２ａ側から見たときの、バッテリー２３を取り外した状態の斜視図である。図３、図４に示すように、ガイドレール１０ａは、前方側端部１０ａｆ（前方側一の端部側のガイドレールの第１端部）と筐体側主面２４ｃとの間の距離ｌ１が、後方側端部１０ａｒ（一の端部とは反対側のガイドレールの第２端部）と筐体側主面２４ｃとの間の距離ｌ２よりも大きくなるように、筐体側主面２４ｃに対して傾斜して形成される。すなわち、ガイドレール１０ａは、筐体側主面２４ｃに対して傾斜している。詳細には、バッテリー２３の挿入方向のガイドレール１０ａの前方側端部１０ａｆは、バッテリー２３の挿入方向のガイドレール１０ａの後方側端部１０ａｒよりも筐体側主面２４ｃを基準として、Ｈミリメートルだけ高い位置にある。Ｈは、例えば約１ミリメートルに設定される。また、図４に示すように、バッテリー装着部２４の筐体側主面２４ｃには補強リブ１１などの補強材が形成されている。これにより、第１の筐体２の強度を十分に確保できる。
【００１７】
図５は、図２のＢ−Ｂ線に沿って切断したときのバッテリー装着部２４の縦断面図である。図６は、図１のパーソナルコンピュータ１の底面２ａ側から見たときの、バッテリー２３を取り外した状態の斜視図である。図５、図６に示すように、ガイドレール１０ｂ−１、１０ｂ−２は、筐体側主面２４ｃに対して傾斜し、ガイドレール１０ａと同様の作用を有する。ガイドレール１０ｂ−１、１０ｂ−２は、ガイドレール１０ａが設けられた筐体側側面２４ａと対向する筐体側側面２４ｂに、ガイドレール１０ａと同様のガイドレールを設け、このガイドレールの一部を切り欠いて２つの部分に分割したものである。ガイドレール１０ｂ−１、１０ｂ−２は、第１の筐体２の前方側端部１０ｂｆ（一の端部側のガイドレールの第１端部）と筐体側主面２４ｃとの間の距離ｌ３が、後方側端部１０ｂｒ（一の端部とは反対側のガイドレールの第２端部）と筐体側主面２４ｃとの間の距離ｌ４よりも大きくなるように、筐体側主面２４ｃに対して傾斜して形成される。詳細には、バッテリー２３の挿入方向のガイドレール１０ｂ−１の前方側端部１０ｂｆは、バッテリー２３の挿入方向のガイドレール１０ｂ−２の後方側端部１０ｂｒよりも筐体側主面２４ｃを基準としてＨミリメートルだけ高い位置にある。Ｈは、例えば約１ミリメートルに設定される。
【００１８】
なお、上述した実施の形態では、一対の筐体側側面２４ａ、２４ｂに設けられたガイドレールとして、１つのガイドレール１０ａと、２つのガイドレール１０ｂ−１、１０ｂ−２とが設けられた場合について説明したが、本開示はこれに限らない。例えば、ガイドレール１０ｂ−１、１０ｂ−２は、ガイドレール１０ａと同様に分割しないで形成されてもよいし、さらに３つ以上の部分に分割して形成されてもよい。また、ガイドレール１０ａは、ガイドレール１０ｂ−１、１０ｂ−２のように２つの部分に分割して形成されてもよいし、さらに３つ以上の部分に分割して形成されてもよい。
【００１９】
［１−２−２．バッテリー側のバッテリー案内構造］
図７は、バッテリー２３の上面２３ｃから見たときの平面図である。図８は、図７のＣ側から見たときのバッテリー２３の側面図である。図９は、図７のＤ側から見たときのバッテリー２３の側面図である。図８、図９に示すように、バッテリー２３は、バッテリー２３の上面２３ｃの反対側にある装着面２３ｄ（バッテリー側主面）と、装着面２３ｄに垂直な一対のバッテリー側側面２３ａ、２３ｂとを有する直方体状の形状を有する。バッテリー２３の装着面２３ｄには、バッテリー２３の製造メーカ名や製造番号などの情報が印刷されている。バッテリー２３の各バッテリー側側面２３ａ、２３ｂには、上述したバッテリー装着部２４のガイドレール１０ａ、１０ｂ−１、１０ｂ−２に係合するガイド溝２０ａ、２０ｂが形成されている。
【００２０】
各ガイド溝２０ａ、２０ｂは、バッテリー２３の挿入方向に沿って延びる溝部である。各ガイド溝２０ａ、２０ｂは、バッテリー２３の装着面２３ｄに対して傾斜している。各ガイド溝２０ａ、２０ｂは、第１の筐体２の前方側端部２０ａｆ、２０ｂｆ（一の端部側のガイド溝の第１端部）とバッテリー２３の装着面２３ｄ（バッテリー側主面）との間の距離ｌ５、ｌ７が、後方側端部２０ａｒ、２０ｂｒ（一の端部とは反対側のガイド溝の第２端部）とバッテリー２３の装着面２３ｄとの間の距離ｌ６、ｌ８よりも大きくなるように、バッテリー２３の装着面２３ｄに対して傾斜して形成される。ガイド溝２０ａ、２０ｂの傾斜角は、ガイドレール１０ａ、１０ｂ−１、１０ｂ−２の傾斜角と同一である。詳細には、バッテリー２３の挿入方向において、各ガイド溝２０ａ、２０ｂの前方側端部２０ａｆ、２０ｂｆは、バッテリー２３の挿入方向において、各ガイド溝２０ａ、２０ｂの後方側端部２０ａｒ、２０ｂｒよりもバッテリー２３の装着面２３ｄを基準としてＨミリメートルだけ高い位置にある。Ｈは、例えば約１ミリメートルに設定される。なお、ガイド溝２０ａ、２０ｂは、第１の筐体２の後方側端部２０ａｒ、２０ｂｒ側の幅よりも第１の筐体２の前方側端部２０ａｆ、２０ｂｆ側の幅の方が大きくなるように形成されてもよい。
【００２１】
［２．作用］
以上のように構成されたパーソナルコンピュータ１について、バッテリー案内構造による作用を以下に説明する。
【００２２】
図１０Ａ〜図１０Ｃは、パーソナルコンピュータ１において、バッテリー２３をバッテリー装着部２４に装着するときの遷移を説明するための斜視図である。図１１Ａ・図１１Ｂは、パーソナルコンピュータ１において、バッテリー２３をバッテリー装着部２４に装着するときの遷移を説明するための側面図である。
【００２３】
図１０Ａ〜図１０Ｃ及び図１１Ａ・図１１Ｂに示すように、バッテリー２３を装着する場合、まず、ガイド溝２０ａとガイドレール１０ａとを係合させるとともにガイド溝２０ｂ（図９参照）とガイドレール１０ｂ−１とを係合させ（図１０Ａ、図１１Ｂ参照）、バッテリー２３を後方側へ移動させることにより、バッテリー２３を挿入する。バッテリー２３が所定の距離だけ挿入されると（図１０Ｂ参照）、ガイド溝２０ｂはガイドレール１０ｂ−２と係合し、この状態でさらにバッテリー２３が挿入されていき、バッテリー２３がバッテリー装着部２４に完全に収まると、バッテリー挿入動作が完了する（図１０Ｃ、図１１Ｂ参照）。
【００２４】
本実施形態では、図３、図５に示すように、ガイドレール１０ａ、１０ｂ−１、１０ｂ−２は、第１の筐体２の前方側端部１０ａｆ、１０ｂｆと筐体側主面２４ｃとの間の距離ｌ１、ｌ３が、後方側端部１０ａｒ、１０ｂｒと筐体側主面２４ｃとの間の距離ｌ２、ｌ４よりも大きくなるように、筐体側主面２４ｃに対して傾斜して形成される。そのため、バッテリー２３をバッテリー装着部２４に挿入した直後では、筐体側主面２４ｃとバッテリー２３との間の隙間Ｇは広くなっている（図１１Ａ参照）。そして、バッテリー２３をスライドして挿入するにつれて、その隙間Ｇは線形的に狭くなっていく（図１１Ｂ参照）。これにより、バッテリー２３をバッテリー装着部２４に装着するとき、バッテリー２３と第１の筐体２とが擦れることを抑制することができる。そのため、バッテリー２３のバッテリー装着部２４への装着面２３ｄ（バッテリー側主面）に傷がつきにくくなる。従って、バッテリー２３のバッテリー装着部２４への装着面２３ｄに印刷されたバッテリー２３の製造メーカ名や製造番号などの情報が消えるのが抑制される。また、バッテリー装着開始時におけるバッテリー２３とバッテリー装着部２４との隙間を確保するために、バッテリー２３とバッテリー装着部２４との間の隙間を広くする必要がない。そのため、パーソナルコンピュータ１を厚くする必要がない。従って、パーソナルコンピュータ１の重量の増加を抑制できる。さらに、バッテリー２３のバッテリー装着部２４への装着中に、バッテリー２３がバッテリー装着部２４と接触しにくくなり、バッテリー装着面に補強リブなどの補強材を形成できる。従って、パーソナルコンピュータ１の第１の筐体２の強度を十分に確保することができる。
【００２５】
また、バッテリー２３をバッテリー装着部２４から取り外す場合には、バッテリー２３をバッテリー装着部２４に装着する場合と逆の手順となる。すなわち、取り外しの開始時では、バッテリー２３をスライドして前方側に引き出すにつれて、その隙間（Ｇ）は線形的に広くなっていく。
【００２６】
［３．効果等］
以上のように、本実施の形態に係るパーソナルコンピュータ１は、バッテリー２３と、バッテリー２３が装着されるバッテリー装着部２４が形成された第１の筐体２とを有する。バッテリー２３は、装着面２３ｄ（バッテリー側主面）と、装着面２３ｄに垂直な一対のバッテリー側側面２３ａ、２３ｂとを有する。バッテリー装着部２４は、第１の筐体２の底面２ａ（主面）の一の端部側を切り欠いて形成されるとともに、バッテリー２３が装着された状態において装着面２３ｄ及び一対のバッテリー側側面２３ａ、２３ｂそれぞれに対向する筐体側主面２４ｃ及び一対の筐体側側面２４ａ、２４ｂを有する。筐体側側面２４ａ、２４ｂに、バッテリー２３のバッテリー装着部２４への装着を案内するガイドレール１０ａ、１０ｂ−１、１０ｂ−２が形成され、バッテリー側側面２３ａ、２３ｂに、ガイドレール１０ａ、１０ｂ−１、１０ｂ−２に係合するガイド溝２０ａ、２０ｂが形成されている。
【００２７】
ガイドレール１０ａ、１０ｂ−１、１０ｂ−２は、一の端部側のガイドレール１０ａ、１０ｂ−１、１０ｂ−２の第１端部１０ａｆ、１０ｂｆと、一の端部とは反対側のガイドレール１０ａ、１０ｂ−１、１０ｂ−２の第２端部１０ａｒ、１０ｂｒとを有し、第１端部１０ａｆ、１０ｂｆ側から第２端部１０ａｒ、１０ｂｒ側へと筐体側主面２４ｃに対して傾斜して形成されている。また、ガイドレール１０ａ、１０ｂ−１、１０ｂ−２の第１端部１０ａｆ、１０ｂｆと筐体側主面２４ｃとの間の距離ｌ１、ｌ３が、ガイドレール１０ａ、１０ｂ−１、１０ｂ−２の第２端部１０ａｒ、１０ｂｒと筐体側主面２４ｃとの間の距離ｌ２、ｌ４よりも大きい。
【００２８】
この構成により、ガイドレール１０ａ、１０ｂ−１、１０ｂ−２は、バッテリー挿入方向において、前方側（筐体の一の端部側のガイドレールの第１端部側）から後方側（一の端部とは反対側のガイドレールの第２端部側）にかけて、ガイドレール１０ａ、１０ｂ−１、１０ｂ−２と筐体側主面２４ｃとの距離が小さくなるように、筐体側主面２４ｃに対して傾斜して形成される。そのため、バッテリー２３をバッテリー装着部２４に装着する際に、バッテリー装着開始時ではバッテリーとバッテリー装着部との間の隙間が広くなる。従って、バッテリー２３をバッテリー装着部２４に装着するとき、バッテリー２３と第１の筐体２とが擦れることを抑制することができる。そのため、バッテリー２３のバッテリー装着部２４への装着面２３ｄ（バッテリー側主面）に傷がつきにくくなる。従って、バッテリー２３のバッテリー装着部２４への装着面２３ｄに印刷されたバッテリー２３の製造メーカ名や製造番号などの情報が消えるのが抑制される。
【００２９】
また、バッテリー装着開始時におけるバッテリー２３とバッテリー装着部２４との隙間を確保するために、バッテリー２３とバッテリー装着部２４との間の隙間を広くする必要がない。そのため、パーソナルコンピュータ１を厚くする必要がない。従って、パーソナルコンピュータ１の重量の増加を抑制できる。
【００３０】
さらに、バッテリー２３のバッテリー装着部２４への装着中に、バッテリー２３がバッテリー装着部２４と接触しにくくなり、バッテリー装着面に補強リブなどの補強材を形成できる。従って、パーソナルコンピュータ１の第１の筐体２の強度を十分に確保することができる。
【００３１】
また、本実施の形態に係るパーソナルコンピュータ１において、ガイド溝２０ａ、２０ｂは、一の端部側のガイド溝２０ａ、２０ｂの第１端部２０ａｆ、２０ｂｆと、一の端部とは反対側のガイド溝の第２端部２０ａｒ、２０ｂｒとを有する。ガイド溝２０ａ、２０ｂは、第１端部２０ａｆ、２０ｂｆから第２端部２０ａｒ、２０ｂｒへと、装着面２３ｄ（バッテリー側主面）に対して傾斜して形成されている。ガイド溝２０ａ、２０ｂは、第１端部２０ａｆ、２０ｂｆと装着面２３ｄとの間の距離ｌ５、ｌ７が、ガイド溝２０ａ、２０ｂの第２端部２０ａｒ、２０ｂｒと装着面２３ｄとの間の距離ｌ６、ｌ８よりも大きく、ガイドレール１０ａ、１０ｂ−１、１０ｂ−２の傾斜角とガイド溝２０ａ、２０ｂの傾斜角とが同一である。
【００３２】
この構成により、ガイドレール１０ａ、１０ｂ−１、１０ｂ−２の傾斜角とガイド溝２０ａ、２０ｂの傾斜角とが同一であるので、筐体側主面２４ｃは、装着面２３ｄに対して略平行な状態を維持することが可能となる。従って、挿入方向のすべての位置において、略一定の隙間を確保することが可能となる。
【００３３】
また、本実施の形態に係るパーソナルコンピュータ１において、ガイド溝２０ａ、２０ｂは、第２端部２０ａｒ、２０ｂｒ側の幅よりも第１端部２０ａｆ、２０ｂｆ側の幅の方が大きくなるように、形成されている。
【００３４】
この構成により、バッテリー２３をバッテリー装着部２４に装着するときに、ガイド溝２０ａ、２０ｂと、ガイドレール１０ａ、１０ｂ−１、１０ｂ−２とを係合させやすくなる。そのため、バッテリー２３をガイドレール１０ａ、１０ｂ−１、１０ｂ−２に沿ってよりスムーズに挿入してスライドさせることが可能となる。
【００３５】
（変形例）
なお、上述した実施の形態では、筐体側にガイドレールが設けられ、バッテリー側にガイド溝が設けられている。しかし、筐体側にガイドレールに代えてガイド溝を設け、バッテリー側にガイド溝に代えてガイドレールを設けてもよい。この場合においても、本実施の形態と同様の効果を得ることができる。
【００３６】
すなわち、本実施の形態に係るパーソナルコンピュータ１は、バッテリー２３と、バッテリー２３が装着されるバッテリー装着部２４が形成された第１の筐体２とを有する。バッテリー２３は、装着面２３ｄ（バッテリー側主面）と、装着面２３ｄに垂直な一対のバッテリー側側面２３ａ、２３ｂとを有する。バッテリー装着部２４は、第１の筐体２の底面２ａ（主面）の一の端部側を切り欠いて形成されるとともに、バッテリー２３が装着された状態において装着面２３ｄ及び一対のバッテリー側側面２３ａ、２３ｂそれぞれに対向する筐体側主面２４ｃ及び一対の筐体側側面２４ａ、２４ｂを有する。筐体側側面２４ａ、２４ｂに、バッテリー２３のバッテリー装着部２４への装着を案内するガイド溝が形成され、バッテリー側側面２３ａ、２３ｂに、ガイド溝に係合するガイドレールが形成されている。ガイド溝は、一の端部側のガイド溝の第１端部と、一の端部とは反対側のガイド溝の第２端部とを有し、ガイド溝の第１端部からガイド溝の第２端部へと筐体側主面に対して傾斜して形成され、ガイド溝の第１端部と筐体側主面との間の距離が、ガイド溝の第２端部と筐体側主面との間の距離よりも大きい。
【００３７】
また、本実施の形態に係るパーソナルコンピュータ１において、ガイドレールは、一の端部側のガイドレールの第１端部と、一の端部とは反対側のガイドレールの第２端部とを有し、ガイドレールの第１端部からガイドレールの第２端部へと装着面２３ｄに対して傾斜して形成されている。ガイドレールの第１端部とバッテリー側主面との間の距離は、ガイドレールの第２端部とバッテリー側主面との間の距離よりも大きく、ガイドレールの傾斜角とガイド溝の傾斜角とが同一である。
【００３８】
また、本実施の形態に係るパーソナルコンピュータ１において、ガイド溝は、第２端部側の幅よりも第１端部側の幅の方が大きくなるように、形成されている。
【００３９】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、実施の形態１で説明した各構成要素を組み合わせて、新たな実施の形態とすることも可能である。
【００４０】
また、上述した実施の形態では、電子機器が、パーソナルコンピュータ１である例を説明したが、本開示はこれに限定されない。例えばタブレット端末、携帯電話、ムービー、携帯ＴＶ、ポータブルＢＤプレーヤーなどの電子機器に広く適用することが可能である。さらに、上述した実施の形態では、バッテリー案内構造について説明したが、本開示はこれに限定されない。例えば、電子機器本体にスライドして着脱可能なハードディスクドライブ（ＨＤＤ）やソリッドステートドライブ（ＳＳＤ）などの記録媒体にも本実施の形態の着脱機構を適用することが可能である。
【００４１】
以上のように、本開示における技術の例示として、実施の形態を説明した。そのために、添付図面及び詳細な説明を提供した。
【００４２】
したがって、添付図面及び詳細な説明に記載された構成要素の中には、必須な構成要素だけでなく、前記技術を例示するために、必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４３】
また、上述の実施の形態は、本開示における技術を例示するためのものであるから、請求の範囲またはその均等の範囲において種々の変更、置き換え、付加、省略などを行うことができる。
【産業上の利用可能性】
【００４４】
本開示は、スライド型の取り外し可能なバッテリー（電池）を備えた電子機器であれば適用可能である。具体的には、タブレット端末、携帯電話、ムービー、携帯ＴＶ、ポータブルＢＤプレーヤーなどに、本開示は適用可能である。
【符号の説明】
【００４５】
１  パーソナルコンピュータ
２  第１の筐体
２ａ  底面
３  第２の筐体
４  ヒンジ部
１０ａ，１０ｂ−１，１０ｂ−２  ガイドレール
１０ａｆ，１０ｂｆ  前方側端部（第１端部）
１０ａｒ，１０ｂｒ  後方側端部（第２端部）
１１  補強リブ
２０ａ，２０ｂ  ガイド溝
２０ａｆ，２０ｂｆ  前方側端部（第１端部）
２０ａｒ，２０ｂｒ  後方側端部（第２端部）
２１  キーボード
２２  ポインティングデバイス
２３  バッテリー
２３ａ，２３ｂ  両側面（バッテリー側側面）
２３ｃ  上面
２３ｄ  装着面（バッテリー側主面）
２４  バッテリー装着部
２４ａ，２４ｂ  筐体側側面
２４ｃ  筐体側主面
３１  液晶表示パネル（ＬＣＤ）
【図１】
2016051719.tif 000003
【図２】
2016051719.tif 000004
【図３】
2016051719.tif 000005
【図４】
2016051719.tif 000006
【図５】
2016051719.tif 000007
【図６】
2016051719.tif 000008
【図７】
2016051719.tif 000009
【図８】
2016051719.tif 000010
【図９】
2016051719.tif 000011
【図１０Ａ】
2016051719.tif 000012
【図１０Ｂ】
2016051719.tif 000013
【図１０Ｃ】
2016051719.tif 000014
【図１１Ａ】
2016051719.tif 000015
【図１１Ｂ】
2016051719.tif 000016
【手続補正書】
【提出日】平成29年3月7日(2017.3.7)
【手続補正１】
【補正対象書類名】明細書
【補正対象項目名】全文
【補正方法】変更
【補正の内容】
【発明の詳細な説明】
【技術分野】
【０００１】
本開示は、バッテリーと、当該バッテリーを装着するバッテリー装着部とを備えた電子機器に関する。
【背景技術】
【０００２】
特許文献１には、電子機器本体のバッテリー装着部にバッテリーをスライドして装着する電子機器が開示されている。
【先行技術文献】
【特許文献】
【０００３】
【特許文献１】特開２０１１−１７５４６２号公報
【発明の概要】
【０００４】
本開示における電子機器は、バッテリーと、バッテリーが装着されるバッテリー装着部が形成された筐体とを有する。バッテリーは、バッテリー側主面と、バッテリー側主面に垂直な一対のバッテリー側側面とを有する。バッテリー装着部は、筐体の主面の一の端部側を切り欠いて形成されるとともに、バッテリーが装着された状態においてバッテリー側主面及び一対のバッテリー側側面それぞれに対向する筐体側主面及び一対の筐体側側面を有する。筐体側側面に、バッテリーのバッテリー装着部への装着を案内するガイドレールが形成される。バッテリー側側面に、ガイドレールに係合するガイド溝が形成される。ガイドレールは、一の端部側のガイドレールの第１端部と、一の端部とは反対側のガイドレールの第２端部とを有し、第１端部側から第２端部側へと筐体側主面に対して傾斜して形成される。ガイドレールの第１端部と筐体側主面との間の距離が、ガイドレールの第２端部と筐体側主面との間の距離よりも大きい。
【０００５】
本開示の電子機器において、ガイドレールは、バッテリー挿入方向において、前方側（筐体の一の端部側のガイドレールの第１端部）から後方側（一の端部とは反対側のガイドレールの第２端部）にかけて、ガイドレールと筐体側主面との距離が小さくなるように、筐体側主面に対して傾斜して形成される。そのため、バッテリーをバッテリー装着部に装着する際に、バッテリー装着開始時ではバッテリーとバッテリー装着部との間の隙間が広くなる。従って、バッテリーをバッテリー装着部に装着するとき、バッテリーと電子機器の筐体とが擦れることを抑制することができる。そのため、バッテリーのバッテリー側主面（バッテリーのバッテリー装着部への装着面）に傷がつきにくくなる。
【図面の簡単な説明】
【０００６】
【図１】図１は、本開示のパーソナルコンピュータの斜視図である。
【図２】図２は、図１のパーソナルコンピュータ１の平面図（バッテリー２３を取り外したとき）である。
【図３】図３は、図２のＡ−Ａ線に沿って切断したときのバッテリー装着部２４の縦断面図である。
【図４】図４は、図１のパーソナルコンピュータ１の斜視図（バッテリー２３を取り外したとき）である。
【図５】図５は、図２のＢ−Ｂ線に沿って切断したときのバッテリー装着部２４の縦断面図である。
【図６】図６は、図１のパーソナルコンピュータ１の斜視図（バッテリー２３を取り外したとき）である。
【図７】図７は、図１のバッテリー２３の平面図である。
【図８】図８は、図７のＣ側から見たときのバッテリーの側面図である。
【図９】図９は、図７のＤ側から見たときのバッテリーの側面図である。
【図１０Ａ】図１０Ａは、図１のパーソナルコンピュータにおいて、バッテリーをバッテリー装着部に装着するときの遷移を説明するための斜視図である。
【図１０Ｂ】図１０Ｂは、図１のパーソナルコンピュータにおいて、バッテリーをバッテリー装着部に装着するときの遷移を説明するための斜視図である。
【図１０Ｃ】図１０Ｃは、図１のパーソナルコンピュータにおいて、バッテリーをバッテリー装着部に装着するときの遷移を説明するための斜視図である。
【図１１Ａ】図１１Ａは、図１のパーソナルコンピュータにおいて、バッテリーをバッテリー装着部に装着するときの遷移を説明するための側面図である。
【図１１Ｂ】図１１Ｂは、図１のパーソナルコンピュータにおいて、バッテリーをバッテリー装着部に装着するときの遷移を説明するための側面図である。
【発明を実施するための形態】
【０００７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、添付図面及び以下の説明は、当業者が本開示を十分に理解するために、提供されるのであって、これらにより請求の範囲に記載の主題を限定することは意図されていない。
【０００９】
（本開示が想定する具体的な課題）
スライド型の取り外し可能なバッテリー（電池）を備えた電子機器において、バッテリーをバッテリー装着部に装着する際に、電子機器本体側のバッテリー装着部との擦れによりバッテリーの表面に傷がつく場合があった。この問題を解決するためには、バッテリーとバッテリー装着部との間の隙間を大きくすることが考えられる。しかし、この隙間を大きくすると、電子機器の厚さがその分だけ厚くなってしまいデザイン的に問題となる。また、電子機器の重量が増加する。これに対し、バッテリー装着部を平坦にすることにより、バッテリーに傷がつきにくくすることが考えられる。しかし、バッテリー装着部を平坦にすると、バッテリー装着部に補強リブなどの補強材を形成することができなくなり、電子機器本体の強度を十分に確保することができない。
【００１０】
上述したような課題に着目して、本実施の形態では、電子機器本体（後述する第１の筐体２）を厚くすることなしに、バッテリー装着時においてバッテリーの表面の損傷を抑制可能な電子機器を提供する。さらに、バッテリー装着部に補強リブなどの補強材を形成して電子機器本体の強度を十分に確保できる電子機器を提供する。以下、図を用いて、実施の形態１を説明する。
【００１１】
（実施の形態１）
［１．構成］
［１−１．全体構成］
図１は、本開示の電子機器の一例であるパーソナルコンピュータ１の斜視図である。図１に示すように、図１のパーソナルコンピュータ１は、第１の筐体２と、第２の筐体３と、ヒンジ部４とを備える。第２の筐体３は、ヒンジ部４を介して第１の筐体２と開閉可能に接続される。なお、本実施の形態では、パーソナルコンピュータ１を操作するユーザ側を前方側とし、ユーザと反対側を後方側（ヒンジ部４側）とする。
【００１２】
第１の筐体２の表面には、入力部の一例であるキーボード２１及びポインティングデバイス２２が設けられている。第１の筐体２の底部にはバッテリー装着部２４が設けられており、バッテリー装着部２４に対して着脱可能なバッテリー２３が装着されている。
【００１３】
第２の筐体３の表面には、表示部の一例である液晶表示パネル（ＬＣＤ）３１が設けられている。
【００１４】
パーソナルコンピュータ１は、バッテリー装着部２４に装着されたバッテリー２３により電源が供給される。ここで、第１の筐体２及びバッテリー２３には、バッテリー装着部２４へのバッテリー２３の着脱を案内するためのバッテリー案内構造が設けられている。バッテリー案内構造について以下に説明する。
【００１５】
［１−２．バッテリー案内構造の構成］
［１−２−１．バッテリー装着部側のバッテリー案内構造］
図２は、図１のパーソナルコンピュータ１の底面２ａ側から見たときの、バッテリー２３を取り外した状態の平面図である。図２に示すように、バッテリー装着部２４は、第１の筐体２の厚み方向に直交する底面２ａ（一方の主面）の前方側端部（一の端部）をバッテリー２３の形状に対応させて切り欠いた凹部状に形成される。また、バッテリー装着部２４は、バッテリー２３のバッテリー装着部２４への装着面２３ｄ（バッテリー側主面）（図８参照）及び一対の両側面２３ａ、２３ｂ（バッテリー側側面）（図７参照）に対向する筐体側主面２４ｃ及び一対の筐体側側面２４ａ、２４ｂを有する。バッテリー装着部２４の筐体側側面２４ａ、２４ｂには、バッテリー２３のバッテリー装着部２４への装着を案内するガイド部であるガイドレール１０ａ、１０ｂ−１、１０ｂ−２がそれぞれ形成されている。ガイドレール１０ａ及び１０ｂ−１、１０ｂ−２は、バッテリー装着部２４の前方側の端部側から後方側の端部側へとそれぞれ延在する。
【００１６】
図３は、図２のＡ−Ａ線に沿って切断したときのバッテリー装着部２４の縦断面図である。図４は、図１のパーソナルコンピュータ１の底面２ａ側から見たときの、バッテリー２３を取り外した状態の斜視図である。図３、図４に示すように、ガイドレール１０ａは、前方側端部１０ａｆ（前方側一の端部側のガイドレールの第１端部）と筐体側主面２４ｃとの間の距離ｌ１が、後方側端部１０ａｒ（一の端部とは反対側のガイドレールの第２端部）と筐体側主面２４ｃとの間の距離ｌ２よりも大きくなるように、筐体側主面２４ｃに対して傾斜して形成される。すなわち、ガイドレール１０ａは、筐体側主面２４ｃに対して傾斜している。詳細には、バッテリー２３の挿入方向のガイドレール１０ａの前方側端部１０ａｆは、バッテリー２３の挿入方向のガイドレール１０ａの後方側端部１０ａｒよりも筐体側主面２４ｃを基準として、Ｈミリメートルだけ高い位置にある。Ｈは、例えば約１ミリメートルに設定される。また、図４に示すように、バッテリー装着部２４の筐体側主面２４ｃには補強リブ１１などの補強材が形成されている。これにより、第１の筐体２の強度を十分に確保できる。
【００１７】
図５は、図２のＢ−Ｂ線に沿って切断したときのバッテリー装着部２４の縦断面図である。図６は、図１のパーソナルコンピュータ１の底面２ａ側から見たときの、バッテリー２３を取り外した状態の斜視図である。図５、図６に示すように、ガイドレール１０ｂ−１、１０ｂ−２は、筐体側主面２４ｃに対して傾斜し、ガイドレール１０ａと同様の作用を有する。ガイドレール１０ｂ−１、１０ｂ−２は、ガイドレール１０ａが設けられた筐体側側面２４ａと対向する筐体側側面２４ｂに、ガイドレール１０ａと同様のガイドレールを設け、このガイドレールの一部を切り欠いて２つの部分に分割したものである。ガイドレール１０ｂ−１、１０ｂ−２は、第１の筐体２の前方側端部１０ｂｆ（一の端部側のガイドレールの第１端部）と筐体側主面２４ｃとの間の距離ｌ３が、後方側端部１０ｂｒ（一の端部とは反対側のガイドレールの第２端部）と筐体側主面２４ｃとの間の距離ｌ４よりも大きくなるように、筐体側主面２４ｃに対して傾斜して形成される。詳細には、バッテリー２３の挿入方向のガイドレール１０ｂ−１の前方側端部１０ｂｆは、バッテリー２３の挿入方向のガイドレール１０ｂ−２の後方側端部１０ｂｒよりも筐体側主面２４ｃを基準としてＨミリメートルだけ高い位置にある。Ｈは、例えば約１ミリメートルに設定される。
【００１８】
なお、上述した実施の形態では、一対の筐体側側面２４ａ、２４ｂに設けられたガイドレールとして、１つのガイドレール１０ａと、２つのガイドレール１０ｂ−１、１０ｂ−２とが設けられた場合について説明したが、本開示はこれに限らない。例えば、ガイドレール１０ｂ−１、１０ｂ−２は、ガイドレール１０ａと同様に分割しないで形成されてもよいし、さらに３つ以上の部分に分割して形成されてもよい。また、ガイドレール１０ａは、ガイドレール１０ｂ−１、１０ｂ−２のように２つの部分に分割して形成されてもよいし、さらに３つ以上の部分に分割して形成されてもよい。
【００１９】
［１−２−２．バッテリー側のバッテリー案内構造］
図７は、バッテリー２３の上面２３ｃから見たときの平面図である。図８は、図７のＣ側から見たときのバッテリー２３の側面図である。図９は、図７のＤ側から見たときのバッテリー２３の側面図である。図８、図９に示すように、バッテリー２３は、バッテリー２３の上面２３ｃの反対側にある装着面２３ｄ（バッテリー側主面）と、装着面２３ｄに垂直な一対のバッテリー側側面２３ａ、２３ｂとを有する直方体状の形状を有する。バッテリー２３の装着面２３ｄには、バッテリー２３の製造メーカ名や製造番号などの情報が印刷されている。バッテリー２３の各バッテリー側側面２３ａ、２３ｂには、上述したバッテリー装着部２４のガイドレール１０ａ、１０ｂ−１、１０ｂ−２に係合するガイド溝２０ａ、２０ｂが形成されている。
【００２０】
各ガイド溝２０ａ、２０ｂは、バッテリー２３の挿入方向に沿って延びる溝部である。各ガイド溝２０ａ、２０ｂは、バッテリー２３の装着面２３ｄに対して傾斜している。各ガイド溝２０ａ、２０ｂは、第１の筐体２の前方側端部２０ａｆ、２０ｂｆ（一の端部側のガイド溝の第１端部）とバッテリー２３の装着面２３ｄ（バッテリー側主面）との間の距離ｌ５、ｌ７が、後方側端部２０ａｒ、２０ｂｒ（一の端部とは反対側のガイド溝の第２端部）とバッテリー２３の装着面２３ｄとの間の距離ｌ６、ｌ８よりも大きくなるように、バッテリー２３の装着面２３ｄに対して傾斜して形成される。ガイド溝２０ａ、２０ｂの傾斜角は、ガイドレール１０ａ、１０ｂ−１、１０ｂ−２の傾斜角と同一である。詳細には、バッテリー２３の挿入方向において、各ガイド溝２０ａ、２０ｂの前方側端部２０ａｆ、２０ｂｆは、バッテリー２３の挿入方向において、各ガイド溝２０ａ、２０ｂの後方側端部２０ａｒ、２０ｂｒよりもバッテリー２３の装着面２３ｄを基準としてＨミリメートルだけ高い位置にある。Ｈは、例えば約１ミリメートルに設定される。なお、ガイド溝２０ａ、２０ｂは、第１の筐体２の後方側端部２０ａｒ、２０ｂｒ側の幅よりも第１の筐体２の前方側端部２０ａｆ、２０ｂｆ側の幅の方が大きくなるように形成されてもよい。
【００２１】
［２．作用］
以上のように構成されたパーソナルコンピュータ１について、バッテリー案内構造による作用を以下に説明する。
【００２２】
図１０Ａ〜図１０Ｃは、パーソナルコンピュータ１において、バッテリー２３をバッテリー装着部２４に装着するときの遷移を説明するための斜視図である。図１１Ａ・図１１Ｂは、パーソナルコンピュータ１において、バッテリー２３をバッテリー装着部２４に装着するときの遷移を説明するための側面図である。
【００２３】
図１０Ａ〜図１０Ｃ及び図１１Ａ・図１１Ｂに示すように、バッテリー２３を装着する場合、まず、ガイド溝２０ａとガイドレール１０ａとを係合させるとともにガイド溝２０ｂ（図９参照）とガイドレール１０ｂ−１とを係合させ（図１０Ａ、図１１Ａ参照）、バッテリー２３を後方側へ移動させることにより、バッテリー２３を挿入する。バッテリー２３が所定の距離だけ挿入されると（図１０Ｂ参照）、ガイド溝２０ｂはガイドレール１０ｂ−２と係合し、この状態でさらにバッテリー２３が挿入されていき、バッテリー２３がバッテリー装着部２４に完全に収まると、バッテリー挿入動作が完了する（図１０Ｃ、図１１Ｂ参照）。
【００２４】
本実施形態では、図３、図５に示すように、ガイドレール１０ａ、１０ｂ−１、１０ｂ−２は、第１の筐体２の前方側端部１０ａｆ、１０ｂｆと筐体側主面２４ｃとの間の距離ｌ１、ｌ３が、後方側端部１０ａｒ、１０ｂｒと筐体側主面２４ｃとの間の距離ｌ２、ｌ４よりも大きくなるように、筐体側主面２４ｃに対して傾斜して形成される。そのため、バッテリー２３をバッテリー装着部２４に挿入した直後では、筐体側主面２４ｃとバッテリー２３との間の隙間Ｇは広くなっている（図１１Ａ参照）。そして、バッテリー２３をスライドして挿入するにつれて、その隙間Ｇは線形的に狭くなっていく（図１１Ｂ参照）。これにより、バッテリー２３をバッテリー装着部２４に装着するとき、バッテリー２３と第１の筐体２とが擦れることを抑制することができる。そのため、バッテリー２３のバッテリー装着部２４への装着面２３ｄ（バッテリー側主面）に傷がつきにくくなる。従って、バッテリー２３のバッテリー装着部２４への装着面２３ｄに印刷されたバッテリー２３の製造メーカ名や製造番号などの情報が消えるのが抑制される。また、バッテリー装着開始時におけるバッテリー２３とバッテリー装着部２４との隙間を確保するために、バッテリー２３とバッテリー装着部２４との間の隙間を広くする必要がない。そのため、パーソナルコンピュータ１を厚くする必要がない。従って、パーソナルコンピュータ１の重量の増加を抑制できる。さらに、バッテリー２３のバッテリー装着部２４への装着中に、バッテリー２３がバッテリー装着部２４と接触しにくくなり、バッテリー装着面に補強リブなどの補強材を形成できる。従って、パーソナルコンピュータ１の第１の筐体２の強度を十分に確保することができる。
【００２５】
また、バッテリー２３をバッテリー装着部２４から取り外す場合には、バッテリー２３をバッテリー装着部２４に装着する場合と逆の手順となる。すなわち、取り外しの開始時では、バッテリー２３をスライドして前方側に引き出すにつれて、その隙間（Ｇ）は線形的に広くなっていく。
【００２６】
［３．効果等］
以上のように、本実施の形態に係るパーソナルコンピュータ１は、バッテリー２３と、バッテリー２３が装着されるバッテリー装着部２４が形成された第１の筐体２とを有する。バッテリー２３は、装着面２３ｄ（バッテリー側主面）と、装着面２３ｄに垂直な一対のバッテリー側側面２３ａ、２３ｂとを有する。バッテリー装着部２４は、第１の筐体２の底面２ａ（主面）の一の端部側を切り欠いて形成されるとともに、バッテリー２３が装着された状態において装着面２３ｄ及び一対のバッテリー側側面２３ａ、２３ｂそれぞれに対向する筐体側主面２４ｃ及び一対の筐体側側面２４ａ、２４ｂを有する。筐体側側面２４ａ、２４ｂに、バッテリー２３のバッテリー装着部２４への装着を案内するガイドレール１０ａ、１０ｂ−１、１０ｂ−２が形成され、バッテリー側側面２３ａ、２３ｂに、ガイドレール１０ａ、１０ｂ−１、１０ｂ−２に係合するガイド溝２０ａ、２０ｂが形成されている。
【００２７】
ガイドレール１０ａ、１０ｂ−１、１０ｂ−２は、一の端部側のガイドレール１０ａ、１０ｂ−１、１０ｂ−２の第１端部１０ａｆ、１０ｂｆと、一の端部とは反対側のガイドレール１０ａ、１０ｂ−１、１０ｂ−２の第２端部１０ａｒ、１０ｂｒとを有し、第１端部１０ａｆ、１０ｂｆ側から第２端部１０ａｒ、１０ｂｒ側へと筐体側主面２４ｃに対して傾斜して形成されている。また、ガイドレール１０ａ、１０ｂ−１、１０ｂ−２の第１端部１０ａｆ、１０ｂｆと筐体側主面２４ｃとの間の距離ｌ１、ｌ３が、ガイドレール１０ａ、１０ｂ−１、１０ｂ−２の第２端部１０ａｒ、１０ｂｒと筐体側主面２４ｃとの間の距離ｌ２、ｌ４よりも大きい。
【００２８】
この構成により、ガイドレール１０ａ、１０ｂ−１、１０ｂ−２は、バッテリー挿入方向において、前方側（筐体の一の端部側のガイドレールの第１端部側）から後方側（一の端部とは反対側のガイドレールの第２端部側）にかけて、ガイドレール１０ａ、１０ｂ−１、１０ｂ−２と筐体側主面２４ｃとの距離が小さくなるように、筐体側主面２４ｃに対して傾斜して形成される。そのため、バッテリー２３をバッテリー装着部２４に装着する際に、バッテリー装着開始時ではバッテリーとバッテリー装着部との間の隙間が広くなる。従って、バッテリー２３をバッテリー装着部２４に装着するとき、バッテリー２３と第１の筐体２とが擦れることを抑制することができる。そのため、バッテリー２３のバッテリー装着部２４への装着面２３ｄ（バッテリー側主面）に傷がつきにくくなる。従って、バッテリー２３のバッテリー装着部２４への装着面２３ｄに印刷されたバッテリー２３の製造メーカ名や製造番号などの情報が消えるのが抑制される。
【００２９】
また、バッテリー装着開始時におけるバッテリー２３とバッテリー装着部２４との隙間を確保するために、バッテリー２３とバッテリー装着部２４との間の隙間を広くする必要がない。そのため、パーソナルコンピュータ１を厚くする必要がない。従って、パーソナルコンピュータ１の重量の増加を抑制できる。
【００３０】
さらに、バッテリー２３のバッテリー装着部２４への装着中に、バッテリー２３がバッテリー装着部２４と接触しにくくなり、バッテリー装着面に補強リブなどの補強材を形成できる。従って、パーソナルコンピュータ１の第１の筐体２の強度を十分に確保することができる。
【００３１】
また、本実施の形態に係るパーソナルコンピュータ１において、ガイド溝２０ａ、２０ｂは、一の端部側のガイド溝２０ａ、２０ｂの第１端部２０ａｆ、２０ｂｆと、一の端部とは反対側のガイド溝の第２端部２０ａｒ、２０ｂｒとを有する。ガイド溝２０ａ、２０ｂは、第１端部２０ａｆ、２０ｂｆから第２端部２０ａｒ、２０ｂｒへと、装着面２３ｄ（バッテリー側主面）に対して傾斜して形成されている。ガイド溝２０ａ、２０ｂは、第１端部２０ａｆ、２０ｂｆと装着面２３ｄとの間の距離ｌ５、ｌ７が、ガイド溝２０ａ、２０ｂの第２端部２０ａｒ、２０ｂｒと装着面２３ｄとの間の距離ｌ６、ｌ８よりも大きく、ガイドレール１０ａ、１０ｂ−１、１０ｂ−２の傾斜角とガイド溝２０ａ、２０ｂの傾斜角とが同一である。
【００３２】
この構成により、ガイドレール１０ａ、１０ｂ−１、１０ｂ−２の傾斜角とガイド溝２０ａ、２０ｂの傾斜角とが同一であるので、筐体側主面２４ｃは、装着面２３ｄに対して略平行な状態を維持することが可能となる。従って、挿入方向のすべての位置において、略一定の隙間を確保することが可能となる。
【００３３】
また、本実施の形態に係るパーソナルコンピュータ１において、ガイド溝２０ａ、２０ｂは、第２端部２０ａｒ、２０ｂｒ側の幅よりも第１端部２０ａｆ、２０ｂｆ側の幅の方が大きくなるように、形成されている。
【００３４】
この構成により、バッテリー２３をバッテリー装着部２４に装着するときに、ガイド溝２０ａ、２０ｂと、ガイドレール１０ａ、１０ｂ−１、１０ｂ−２とを係合させやすくなる。そのため、バッテリー２３をガイドレール１０ａ、１０ｂ−１、１０ｂ−２に沿ってよりスムーズに挿入してスライドさせることが可能となる。
【００３５】
（変形例）
なお、上述した実施の形態では、筐体側にガイドレールが設けられ、バッテリー側にガイド溝が設けられている。しかし、筐体側にガイドレールに代えてガイド溝を設け、バッテリー側にガイド溝に代えてガイドレールを設けてもよい。この場合においても、本実施の形態と同様の効果を得ることができる。
【００３６】
すなわち、本実施の形態に係るパーソナルコンピュータ１は、バッテリー２３と、バッテリー２３が装着されるバッテリー装着部２４が形成された第１の筐体２とを有する。バッテリー２３は、装着面２３ｄ（バッテリー側主面）と、装着面２３ｄに垂直な一対のバッテリー側側面２３ａ、２３ｂとを有する。バッテリー装着部２４は、第１の筐体２の底面２ａ（主面）の一の端部側を切り欠いて形成されるとともに、バッテリー２３が装着された状態において装着面２３ｄ及び一対のバッテリー側側面２３ａ、２３ｂそれぞれに対向する筐体側主面２４ｃ及び一対の筐体側側面２４ａ、２４ｂを有する。筐体側側面２４ａ、２４ｂに、バッテリー２３のバッテリー装着部２４への装着を案内するガイド溝が形成され、バッテリー側側面２３ａ、２３ｂに、ガイド溝に係合するガイドレールが形成されている。ガイド溝は、一の端部側のガイド溝の第１端部と、一の端部とは反対側のガイド溝の第２端部とを有し、ガイド溝の第１端部からガイド溝の第２端部へと筐体側主面に対して傾斜して形成され、ガイド溝の第１端部と筐体側主面との間の距離が、ガイド溝の第２端部と筐体側主面との間の距離よりも大きい。
【００３７】
また、本実施の形態に係るパーソナルコンピュータ１において、ガイドレールは、一の端部側のガイドレールの第１端部と、一の端部とは反対側のガイドレールの第２端部とを有し、ガイドレールの第１端部からガイドレールの第２端部へと装着面２３ｄに対して傾斜して形成されている。ガイドレールの第１端部とバッテリー側主面との間の距離は、ガイドレールの第２端部とバッテリー側主面との間の距離よりも大きく、ガイドレールの傾斜角とガイド溝の傾斜角とが同一である。
【００３８】
また、本実施の形態に係るパーソナルコンピュータ１において、ガイド溝は、第２端部側の幅よりも第１端部側の幅の方が大きくなるように、形成されている。
【００３９】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、実施の形態１で説明した各構成要素を組み合わせて、新たな実施の形態とすることも可能である。
【００４０】
また、上述した実施の形態では、電子機器が、パーソナルコンピュータ１である例を説明したが、本開示はこれに限定されない。例えばタブレット端末、携帯電話、ムービー、携帯ＴＶ、ポータブルＢＤプレーヤーなどの電子機器に広く適用することが可能である。さらに、上述した実施の形態では、バッテリー案内構造について説明したが、本開示はこれに限定されない。例えば、電子機器本体にスライドして着脱可能なハードディスクドライブ（ＨＤＤ）やソリッドステートドライブ（ＳＳＤ）などの記録媒体にも本実施の形態の着脱機構を適用することが可能である。
【００４１】
以上のように、本開示における技術の例示として、実施の形態を説明した。そのために、添付図面及び詳細な説明を提供した。
【００４２】
したがって、添付図面及び詳細な説明に記載された構成要素の中には、必須な構成要素だけでなく、前記技術を例示するために、必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４３】
また、上述の実施の形態は、本開示における技術を例示するためのものであるから、請求の範囲またはその均等の範囲において種々の変更、置き換え、付加、省略などを行うことができる。
【産業上の利用可能性】
【００４４】
本開示は、スライド型の取り外し可能なバッテリー（電池）を備えた電子機器であれば適用可能である。具体的には、タブレット端末、携帯電話、ムービー、携帯ＴＶ、ポータブルＢＤプレーヤーなどに、本開示は適用可能である。
【符号の説明】
【００４５】
１    パーソナルコンピュータ
２    第１の筐体
２ａ    底面
３    第２の筐体
４    ヒンジ部
１０ａ，１０ｂ−１，１０ｂ−２    ガイドレール
１０ａｆ，１０ｂｆ    前方側端部（第１端部）
１０ａｒ，１０ｂｒ    後方側端部（第２端部）
１１    補強リブ
２０ａ，２０ｂ    ガイド溝
２０ａｆ，２０ｂｆ    前方側端部（第１端部）
２０ａｒ，２０ｂｒ    後方側端部（第２端部）
２１    キーボード
２２    ポインティングデバイス
２３    バッテリー
２３ａ，２３ｂ    両側面（バッテリー側側面）
２３ｃ    上面
２３ｄ    装着面（バッテリー側主面）
２４    バッテリー装着部
２４ａ，２４ｂ    筐体側側面
２４ｃ    筐体側主面
３１    液晶表示パネル（ＬＣＤ）
【手続補正２】
【補正対象書類名】特許請求の範囲
【補正対象項目名】全文
【補正方法】変更
【補正の内容】
【特許請求の範囲】
【請求項１】
バッテリーと、前記バッテリーが装着されるバッテリー装着部が形成された筐体とを有する電子機器であって、
前記バッテリーは、バッテリー側主面と、前記バッテリー側主面に垂直な一対のバッテリー側側面とを有し、
前記バッテリー装着部は、前記筐体の主面の一の端部側を切り欠いて形成されるとともに、前記バッテリーが装着された状態において前記バッテリー側主面及び前記一対のバッテリー側側面それぞれに対向する筐体側主面及び一対の筐体側側面を有し、
前記筐体側側面に、前記バッテリーの前記バッテリー装着部への装着を案内するガイドレールが形成され、
前記バッテリー側側面に、前記ガイドレールに係合するガイド溝が形成され、
前記ガイドレールは、前記一の端部側のガイドレールの第１端部と、前記一の端部とは反対側のガイドレールの第２端部とを有し、前記第１端部側から前記第２端部側へと前記筐体側主面に対して傾斜して形成され、
前記ガイドレールの第１端部と前記筐体側主面との間の距離が、前記ガイドレールの第２端部と前記筐体側主面との間の距離よりも大きい、
電子機器。
【請求項２】
前記ガイド溝は、前記一の端部側のガイド溝の第１端部と、前記一の端部とは反対側のガイド溝の第２端部とを有し、前記ガイド溝の第１端部から前記ガイド溝の第２端部へと前記バッテリー側主面に対して傾斜して形成され、
前記ガイド溝の第１端部と前記バッテリー側主面との間の距離が、前記ガイド溝の第２端部と前記バッテリー側主面との間の距離よりも大きく、
前記ガイドレールの傾斜角と前記ガイド溝の傾斜角とが同一である、
請求項１記載の電子機器。
【請求項３】
前記ガイド溝は、前記第２端部側の幅よりも前記第１端部側の幅の方が大きくなるように、形成されている、
請求項２記載の電子機器。
【請求項４】
バッテリーと、前記バッテリーが装着されるバッテリー装着部が形成された筐体とを有する電子機器であって、
前記バッテリーは、バッテリー側主面と、前記バッテリー側主面に垂直な一対のバッテリー側側面とを有し、
前記バッテリー装着部は、前記筐体の主面の一の端部側を切り欠いて形成されるとともに、前記バッテリーが装着された状態において前記バッテリー側主面及び前記一対のバッテリー側側面それぞれに対向する筐体側主面及び一対の筐体側側面を有し、
前記筐体側側面に、前記バッテリーの前記バッテリー装着部への装着を案内するガイド溝が形成され、
前記バッテリー側側面に、前記ガイド溝に係合するガイドレールが形成され、
前記ガイド溝は、前記一の端部側のガイド溝の第１端部と、前記一の端部とは反対側のガイド溝の第２端部とを有し、前記ガイド溝の第１端部から前記ガイド溝の第２端部へと前記筐体側主面に対して傾斜して形成され、
前記ガイド溝の第１端部と前記筐体側主面との間の距離が、前記ガイド溝の第２端部と前記筐体側主面との間の距離よりも大きい、
電子機器。
【請求項５】
前記ガイドレールは、前記一の端部側のガイドレールの第１端部と、前記一の端部とは反対側のガイドレールの第２端部とを有し、前記ガイドレールの第１端部から前記ガイドレールの第２端部へと前記バッテリー側主面に対して傾斜して形成され、
前記ガイドレールの第１端部と前記バッテリー側主面との間の距離が、前記ガイドレールの第２端部と前記バッテリー側主面との間の距離よりも大きく、
前記ガイドレールの傾斜角と前記ガイド溝の傾斜角とが同一である、
請求項４記載の電子機器。
【請求項６】
前記ガイド溝は、前記第２端部側の幅よりも前記第１端部側の幅の方が大きくなるように、形成されている、
請求項４または５記載の電子機器。
【請求項７】
電子機器のバッテリー装着部に挿入され、電子機器に電力を供給するバッテリーであって、
主面と、前記主面に垂直な一対の側面とを有し、
前記側面に、前記バッテリー装着部への装着を案内するガイド溝が形成され、
前記ガイド溝は、第１端部と、前記第１端部とは反対側の第２端部とを有し、前記第１端部から前記第２端部へと前記主面に対して傾斜して形成され、
前記第１端部と前記主面との間の距離が、前記第２端部と前記主面との間の距離よりも大きい、
バッテリー。
【請求項８】
前記ガイド溝は、前記第２端部側の幅よりも前記第１端部側の幅の方が大きくなるように、形成されている、
請求項７記載のバッテリー。
【請求項９】
電子機器のバッテリー装着部に挿入され、電子機器に電力を供給するバッテリーであって、
主面と、前記主面に垂直な一対の側面とを有し、
前記側面に、前記バッテリー装着部への装着を案内するガイドレールが形成され、
前記ガイドレールは、第１端部と、前記第１端部とは反対側の第２端部とを有し、前記第１端部から前記第２端部へと前記主面に対して傾斜して形成され、
前記第１端部と前記主面との間の距離が、前記第２端部と前記主面との間の距離よりも大きい、
バッテリー。
【手続補正３】
【補正対象書類名】図面
【補正対象項目名】全図
【補正方法】変更
【補正の内容】
【図１】
2016051719.tif 000017
【図２】
2016051719.tif 000018
【図３】
2016051719.tif 000019
【図４】
2016051719.tif 000020
【図５】
2016051719.tif 000021
【図６】
2016051719.tif 000022
【図７】
2016051719.tif 000023
【図８】
2016051719.tif 000024
【図９】
2016051719.tif 000025
【図１０Ａ】
2016051719.tif 000026
【図１０Ｂ】
2016051719.tif 000027
【図１０Ｃ】
2016051719.tif 000028
【図１１Ａ】
2016051719.tif 000029
【図１１Ｂ】
2016051719.tif 000030
【国際調査報告】
2016051719.tif 000031
2016051719.tif 000032